(57)【特許請求の範囲】
【請求項１】
身体の組織に施された美容治療のリアルタイムで精密な超音波監視のための装置であって、
予め決められた入射角で治療された皮膚中に超音波ビームを放出するように、皮膚の表面に対して角度が付けられた治療されるべき皮膚のエリアの第一の境界上に配置された送信機と、前記送信機から予め決められた距離に位置し、前記送信機によって放出され、前記治療された皮膚を通してその表面と実質的に平行な経路に沿って伝播され、それにより放出された超音波ビームを受信するように、前記第一の境界と対向し皮膚の表面に対して角度が付けられた前記エリアの第二の境界上に前記送信機から予め決められた距離に配置された受信機、を含むハウジングと、
前記受信された超音波ビームから受信され、前記組織を通した前記ビームの伝播速度中の変化に関する情報を取得して分析し、そこを通してビームが伝播したところの皮膚のエリア中の温度変化を決定するコントローラと、
を含む装置。
【請求項２】
前記入射角は、ブルースターの入射角である、請求項１による装置。
【請求項３】
前記組織は組織の層を含む、請求項１による装置。
【請求項４】
前記組織は組織の層を含み、前記受信機はまた、前記層の間の層間境界に全体的に沿って伝播され、それにより放出された送信超音波ビームを受信するようにも動作する、請求項１による装置。
【請求項５】
前記受信機はまた、前記入射角で前記組織によって放出された超音波ビームを受信するようにも動作する、請求項１による装置。
【請求項６】
前記送信機と受信機の各々はまた、２次元および３次元空間的構成からなるグループから選択された少なくとも１つの予め決められた構成に配置された圧電素子を含む、請求項１による装置。
【請求項７】
前記コントローラはまた、前記圧電素子の各々を個別に制御するようにも動作する、請求項６による装置。
【請求項８】
前記予め決められた距離は、前記送信機と前記受信機の間に位置するエリア中の前記組織の厚さに依存する、請求項１による装置。
【請求項９】
前記予め決められた距離は調節可能である、請求項１による装置。
【請求項１０】
前記コントローラはまた、前記送信機と前記受信機の間に位置するエリア中の前記組織の厚さに依存して、前記素子の各々を個別に制御するようにも動作する、請求項６による装置。
【請求項１１】
前記送信機は超音波ビームをパルスの形で放出し、前記コントローラはまた前記超音波ビームパルス配送のシーケンスを決定するようにも動作する、請求項１による装置。
【請求項１２】
前記装置はまた、前記送信機の発振を励起し、超音波ビームの放出を果たすように動作する少なくとも１つの発生器を含む、請求項１による装置。
【請求項１３】
前記超音波ビームはパルスの形である、請求項１による装置。
【請求項１４】
前記治療は、皮下脂肪細胞破壊、皮下脂肪の量の低減、緩んだ皮膚の引き締め、体表面の引き締めと落ち着かせ、皮膚中の皺の削減およびコラーゲンリモデリングからなるグループから選択された少なくとも１つの美容皮膚組織治療を含む、請求項１による装置。
【請求項１５】
リアルタイムでの治療された皮膚の温度の精密な超音波監視のための装置であって、
ブルースターの入射角で前記組織中に超音波ビームを放出するように動作する送信機と、前記送信機から予め決められた距離に位置し、前記送信機によって送信され、前記治療された皮膚を通してその表面と実質的に平行な経路に沿って伝播され、前記組織から放出された超音波ビームを受信するように動作する受信機、を含むハウジングと、
前記受信された超音波ビームから受信され、前記組織を通した前記ビームの伝播速度中の変化に関する情報を取得して分析し、そこを通してビームが伝播したところの皮膚のエリア中の温度変化を決定するコントローラと、
を含む装置。
【請求項１６】
リアルタイムでの治療された皮膚の温度の精密な超音波監視のための装置であって、
ブルースターの入射角で前記層中に超音波ビームを放出するように動作する送信機と、
前記送信機から予め決められた距離に位置し、前記送信機によって放出され、前記層の間の層間境界に全体的に沿って伝播され、前記組織から放出された超音波ビームを受信するように動作する受信機、を含むハウジングと、
前記受信された超音波ビームから、前記組織を通した前記ビームの伝播速度中の変化に関する情報を取得し、そこを通してビームが伝播したところの皮膚のエリア中の温度変化を決定するために前記情報を分析するように動作するコントローラと、
を含む装置。
【請求項１７】
前記装置はまた、加熱エネルギーの源によって供給された少なくとも１つの加熱表面を含む、請求項１による装置。
【請求項１８】
前記加熱エネルギーは、光、ＲＦ、超音波、エレクトロリポフォレシス、イオントフォレシスおよびマイクロ波からなるグループの少なくとも１つの形である、請求項１７による装置。
【請求項１９】
前記送信機と受信機は各々また、前記加熱表面に全体的に垂直に配置された少なくとも1つの圧電素子を含む、請求項１７による装置。
【請求項２０】
前記送信機と受信機は各々また、前記加熱表面と共に同じ平面上に配置された少なくとも1つの圧電素子を含む、請求項１７による装置。
【請求項２１】
前記表面はＲＦマトリクスであり、前記送信機と受信機はそれぞれ前記ＲＦマトリクスの反対側の端部に配置される、請求項１７による装置。
【請求項２２】
前記組織はまた骨を含む、請求項１から２１のいずれかによる装置。
【発明の詳細な説明】
【技術分野】
【０００１】
方法と装置は、美容身体治療の分野に関し、より特定には皮膚に施された美容治療の精密なリアルタイムの超音波監視のための方法と装置に関する。
【背景技術】
【０００２】
美容治療デバイスは、光、ＲＦ、超音波、エレクトロリポフォレシス、イオントフォレシスおよびマイクロ波とそれらのあらゆる組み合わせの形での組織へのエネルギーの印加からなる温熱療法を含んだ数々の療法を採用した、繊細な皮膚の組織の層への治療を達成するように動作する。
【０００３】
当該技術で使用される全ての現在知られている方法は、組織の損傷が起こり得るおよそ５０−６０℃まで正常より上に被験者の皮膚の温度を上昇させる。従って、治療されている組織の特定のセグメントの温度をリアルタイムで精密に監視し、治療の課程を変更するために取得された情報を使用して被験者の安全を維持することができるようになることが絶対必要である。
【０００４】
皮膚温度を連続的に監視するために、それを通してエネルギーが皮膚に印加されるところの電極またはトランスデューサー中に、熱電対またはサーミスターのような好適なセンサーが、一般的に組み込まれる。それらのセンサーは、治療されている組織上の治療の効果を精密に監視するための限られた能力を有する。リアルタイムでのそれらの示度の正確さと、特定の治療エリアでの組織温度についてそれらが提供する情報への信頼度は限られている。
【０００５】
温度監視の前述した技術の使用は、例えば、センサーの応答時間が皮膚からセンサーへの熱伝導性やセンサー内部の熱伝導性のような様々なパラメータに依存するので、いくらかの潜在的な皮膚損傷のリスクを未然に除去しない。これは、センサーが皮膚に印加された加熱エネルギーを削減するかまたはカットオフする前に可能な皮膚の損傷に結果としてなり得る。或る程度は、光学的放射、ＲＦエネルギー、および超音波エネルギーのような加熱エネルギーを供給するエネルギーの源についてのカットオフ温度作動限度を低減することによって、このリスクは避けることができる。しかしながら、これは、皮膚に伝送される加熱エネルギーと治療の効能を制限するであろう。
【０００６】
組織温度変化を決定するために超音波を採用している現在使われている方法は、超音波エコー反射および超音波偏向に基づいており、減衰と拡散率によって大いに影響されて、それらを大いに不正確にする。
【０００７】
従って、ＲＦ、レーザーまたはあらゆるその他の形の加熱エネルギーを使った皮膚組織加熱治療中に皮膚組織温度の精密なリアルタイムの監視と制御の必要がある。目下の方法と装置に記載されたような超音波温度測定と熱制御の使用は、そのような必要についての精密で非侵襲的な解決策を提供する。
【発明の概要】
【０００８】
目下の方法と装置は、治療されている組織の特定のセグメントの温度をリアルタイムで精密に監視するために超音波ビームを採用する。加えて、目下の方法と装置はまた、美容皮膚治療セッションの超音波熱制御を提供する。そのようなセッションは、皮下脂肪細胞破壊、皮下脂肪の量の低減、緩んだ皮膚の引き締め、体表面の引き締めと落ち着かせ、皮膚中の皺の削減およびコラーゲンリモデリングのような１つ以上の美容皮膚組織治療を含んでいても良い。
【０００９】
目下の方法と装置の例示的実施形態に従って、アプリケータは、超音波送信機と受信機を含んだハウジングを含む。送信機と受信機は、１つ以上の空間的構成に配置された１つ以上の圧電素子からなる。送信機は、ブルースターの入射角で組織中にパルスの形の超音波ビームを放出する。皮膚の表面と全体的に平行におよび／または治療された組織の層の間の層間境界に沿って、組織を通して伝わった超音波ビームパルスは、それによりブルースターの入射角で放出され、受信機によって受信される。受信機の圧電素子は、受信したビーム信号を電気的パルスに変換し、それらはそれから装置コントローラに通信される。
【００１０】
目下の方法と装置の別の例示的実施形態では、ハウジングは、各々が、ブルースターの入射角で組織中に超音波ビームを放出するように動作する第一の送受信機と、第一の送受信機によって放出され、組織を通してその表面と実質的に平行に伝播され、それによりブルースターの入射角で放出された超音波ビームを受信するように動作する第二の送受信機とからなる、送受信機の１つ以上のペアを含む。
【００１１】
目下の方法と装置の更に別の例示的実施形態では、コントローラは、リアルタイムで、それを通してビームが伝わったところの組織中の温度変化を示す、ビームの伝播速度中の変化に関する情報について超音波ビームを分析するように動作する。コントローラはまた、温度変化を、予め決められた治療プロトコルに規定された組織治療温度範囲限度と比較し、それらの規定された範囲限度に照らして変化の危険度を決定するように動作する。危険度は、例えば、特定の治療セッション中に皮膚に印加された治療加熱エネルギーレベルについて上および下の温度限度を設定することによって、決定されても良い。それらの限度は、温度範囲に更に細分化されて、危険度のレベルについてカテゴリー化されても良い。
【００１２】
目下の方法と装置のもっと別の例示的実施形態に従って、コントローラはまた、温度変化とその危険度に基づいて１つ以上のアクションを取るように動作する。例えば、コントローラは、危険度の各レベルにおいて取られるべきアクションを規定している治療プロトコルが設けられていても良い。そのようなアクションは、例えば、治療加熱エネルギー印加のレベルを増加するかまたは減少すること、治療加熱エネルギー印加の持続時間を変更するかまたは治療セッションを全て停止すること、変化とその危険度をデータベースに記録すること、情報をディスプレイ上に表示すること、情報をプリントアウト上に印刷することまたはユーザに警告すること、によって治療の課程を変更することを含んでいても良い。
【００１３】
目下の方法と装置の更に別の例示的実施形態に従って、コントローラは、新たな決定された組織治療温度を、送信機の圧電素子の発振を励起するように動作するパワー発生器に通信する。
【００１４】
目下の方法と装置のもっと別の例示的実施形態に従って、アプリケータはまた、光、ＲＦ、超音波、エレクトロリポフォレシス、イオントフォレシスおよびマイクロ波からなるグループの少なくとも1つの形の加熱エネルギーの１つ以上の源を採用する。
【００１５】
目下の方法と装置は、皮下脂肪細胞破壊、皮下脂肪の量の低減、緩んだ皮膚の引き締め、体表面の引き締めと落ち着かせ、皮膚中の皺の削減およびコラーゲンリモデリングからなるグループから選択された１つ以上の美容皮膚組織治療中に採用されても良いことが認識されるであろう。
【００１６】
本方法と装置は、図面との関係でとられた時に以下の詳細な記載から理解され認識されるであろう。
【図面の簡単な説明】
【００１７】
【図１Ａ】図１Ａは、ブルースターの入射角を採用した、リアルタイムでの治療された皮膚温度の精密な超音波監視のための目下の方法と装置の例示的実施形態の概略図である。
【図１Ｂ】図１Ｂは、ブルースターの入射角を採用した、リアルタイムでの治療された皮膚温度の精密な超音波監視のための目下の方法と装置の例示的実施形態の概略図である。
【図２】図２は、ブルースターの入射角を採用した、リアルタイムでの治療された皮膚温度の超音波監視のための目下の方法と装置の更に別の例示的実施形態の概略図である。
【発明を実施するための形態】
【００１８】
本開示で使われる「送信機」、「送受信機」および「受信機」という用語は、超音波ビームを放出および／または受信するのに圧電素子を使用するデバイスを意味し、お互いに交換可能に使われ得て、以下に詳細に記載されるように、それらの機能性は装置中のそれらの予め決められた位置とコントローラへの電気的接続によって規定される。
【００１９】
「皮膚」および「皮膚組織」という用語は、本開示ではお互いに交換可能に使われ得て、表皮、真皮からなる組織層を意味し、皮脂腺、毛包、毛幹、汗腺等のような真皮構造を含んでいる。
【００２０】
ここで図１Ａを参照すると、それはブルースターの入射角を採用した、リアルタイムでの治療された皮膚温度の精密な超音波監視のための目下の方法と装置の例示的実施形態の概略図である。図１Ａは、美容皮膚治療デバイスアプリケータ１００の例示的実施形態の断面図を描いている。アプリケータ１００は、各々が１つ以上の圧電素子（図示せず）からなる、超音波送信機１０２と超音波受信機１０４を含む。圧電素子は、セラミックス、ポリマーおよび複合物からなるグループから選択された１つ以上の材料から構築されても良い。
【００２１】
目下の方法と装置の例示的実施形態によると、送信機と受信機はお互いから予め決められた距離において、治療されている皮膚のエリア１０６の反対側の境界上に、皮膚の表面に対して予め決められた角度で、配置される。送信機１０２と受信機１０４と皮膚の表面の間の角度は、当該技術で既知の音屈折率整合材料で作られた楔１１０によって維持される。ポリマー（ＰＶＤＦ）、液体、セメント（接着剤）またはゲルのような屈折率整合材料は、それに隣接する媒体、例えば組織層１１２、の屈折率を忠実に近似する屈折率を有し、その表面における反射を削減するのに使われる。送信機と受信機の間の距離は、治療されるべきエリアにおける組織の厚さに依存する。送信機と受信機の間の距離と皮膚の表面に対してそれらが配置されるところの角度を決定している考慮すべき事柄は、以下に詳細に説明される。
【００２２】
圧電素子の物理的電気的性質により、送信機１０２と受信機１０４は各々、発生器から受け取った電圧によって励起された時に超音波ビームを放出し、または受信した超音波ビームを信号として増幅されて配送される電圧に変換する、送受信機として機能しても良いことが認識されるであろう。送信機１０２と受信機１０４の機能性は、装置１００の電気回路構成に依存しても良く、または送信機１０２から受信機１０４にまたはそれと逆に送信された超音波ビームの指向性を決定するためにコントローラによって制御されても良い。
【００２３】
目下の例示的実施形態では、アプリケータ１００は、光、ＲＦ、超音波、エレクトロリポフォレシス、イオントフォレシスおよびマイクロ波からなるグループの少なくとも１つの形であり、加熱表面によって組織に配送される、加熱エネルギーの１つ以上の源を採用しても良い。目下の例示的実施形態は、皮膚１１２および／または皮下脂肪１１４を加熱するための１つ以上のＲＦ電極加熱表面１０８を採用する。適切な治療パラメータにおいて、印加されたエネルギーは、皮膚と皮下脂肪を含んだ皮膚１０６のエリアを加熱する。
【００２４】
送信機１０２と受信機１０４の素子は、２次元および３次元空間的構成からなるグループから選択された１つ以上の予め決められた構成に配置されても良い。送信機１０２と受信機１０４はまた、加熱表面１０８との関係で複数の予め決められた構成に配置されても良い。例えば、図１Ａの美容治療デバイスアプリケータ１００の平面図である図１ＡのビューＡは、熱配送表面１０８に垂直で、治療されるべき組織セグメントの反対側の境界上に配置された送信機１０２と受信機１０４を描いている。目下の方法と装置の別の例示的実施形態では、送信機１０２、受信機１０４および熱配送表面１０８は、２つの加熱表面１０８の間にある送信機１０２および／または受信機１０４のように同じ平面上に配置されても良い。
【００２５】
ここで図１Ｂを参照すると、それはブルースターの入射角を採用した、リアルタイムでの治療された皮膚温度の精密な超音波監視のための目下の方法と装置の別の例示的実施形態の概略断面である。
【００２６】
送信機１０２と受信機１０４は、熱配送表面１０８から配送されたエネルギーによって治療されている皮膚組織１１２のエリア１０６の反対側の境界上でお互いから予め決められた距離（Ｌ）において配置されている。
【００２７】
送信機１０２は、放出されたビームの一部分が、ここではギリシャ文字（α）で示されたブルースターの入射角で皮膚組織１１２上に突き当たるように、一般的にパルス形の超音波ビームを、治療されるべき皮膚１１２の表面に対して角度をつけて放出するように動作する。ブルースターの入射角（α）で組織中に導入された超音波ビームは、２つの異なる音屈折率を有する２つの媒体の間の境界に全体的に沿って伝播するという原理に照らして、送信機１０２によって放出されたビームは、治療されたエリア１０６を通って距離（Ｌｓｔ）に沿った、皮膚組織１１２の表面に全体的に平行である伝播経路（Ｉ）に追従する。皮膚組織１１２は、受信機１０４によって受信されるべき超音波ビームをブルースターの入射角で放出する。受信機１０４は、受信した超音波ビームを、コントローラ（図示せず）に通信される信号に変換する。
【００２８】
身体内部での波動伝播中に、身体組織を通して伝播しているビームは、全ての方向に振動するように全ての粒子を励起する。受信機１０４は、従って、そこからあらゆる距離において、送信機１０２によって放出されたビームの殆どを受信するように動作し、受信されたビームの信号値は送信機−受信機距離に依存する。
【００２９】
送信機１０２によって組織層１１２、１１４、１１６および１１８中に放出されたビームは、複数の入射角で組織１１２の表面上に突き当たる。
【００３０】
最速のビーム、即ち受信機１０４によって最初に受信されるものは、最速の送信機１０２−受信機１０４距離に沿って伝わったビームである。受信機１０４によって受信される最初のビーム、即ち最速の送信機１０２−受信機１０４距離に沿って伝わったものは、ブルースターの入射角で組織層１１２の表面上に突き当たり、組織１１２の表面に沿ってそれと平行に伝わったものである。
【００３１】
目下の方法と装置の別の例示的実施形態によると、コントローラは、超音波ビーム信号から、それを通してビームが伝播したところの組織エリア１０６中の温度変化を示す、ビームの伝播速度中の変化に関する情報を取得するように動作する。コントローラはそれから、変化を予め決められた治療プロトコルと比較して、変化の危険度を決定しても良く、変化と危険度に基づいて１つ以上のアクションを取ることに結果としてなる。そのようなアクションは、例えば、以下の１つ以上であっても良い：変化と危険度に関係する情報をデータベースに記録すること、情報をディスプレイ上に表示すること、変化と危険度を遠隔ユーザに通信すること、情報をプリントアウトに印刷すること、それらの危険度に基づいて変化についてユーザに警告すること、危険度に基づいて治療の課程を変更すること。コントローラはまた、送信機１０２と受信機１０４中の各素子を個別に制御して、超音波ビームパルス配送のシーケンスを決定するように動作する。
【００３２】
目下の方法と装置の更に別の例示的実施形態によると、送信機１０２によって放出されたビームの一部分は、皮膚組織１１２の層（Ｌ１１２）を貫通し、様々な組織層の間の音屈折率の違いのために組織層境界において屈折される。例えば、伝播経路（ＩＩ）に沿って伝わるビームは、送信機１０２によって組織層１１２中に放出され、隣接する組織層１１２（皮膚）と１１４（Ｌ１１４、脂肪）の間の境界によって屈折され、組織層１１４（脂肪）と１１６（Ｌ１１６、筋肉）の間の境界においてもう一度屈折され、ブルースターの入射角（α）で、ここでは層１１６（筋肉）と１１８（骨）の間の境界である、より深い組織層境界上に突き当たる。この場合には、ビームはそれから、その端においてそれがブルースターの入射角で偏向され、皮膚１１２の表面に向けて伝播経路に沿ってもう一度屈折され、それにより放出されるところの距離（ＬＢ）に沿って伝播経路（ＩＩ）に追従して、深い組織層１１６と１１８の境界に沿って伝播しても良い。
【００３３】
依然として図１Ｂを参照し、目下の方法と装置の別の例示的実施形態に従って、受信機１０４によって受信されコントローラに通信される超音波ビーム信号に基づいた、治療された皮膚エリア１０６の温度の決定は、以下のように求められても良い。
【００３４】
様々な身体組織を通した音波伝播の速度は、良く資料化されており、また経験的に達成されても良い。組織を通した音ビームの伝播速度は温度依存性であり、組織温度のあらゆる増加または減少によって変更されることも良く資料化されている。正常な体温における組織中の音速の近似値は以下の通りである。
【００３５】
皮膚：          速度（ＶＤ）〜１７００−１８００メートル毎秒（ｍ／ｓ）
脂肪：          Ｖ〜１４６０ｍ／ｓ
筋肉：          Ｖ〜１５８０ｍ／ｓ
骨：            ＶＢ≧３０００ｍ／ｓ
柔らかい組織：  Ｖｓｔ〜１５４０ｍ／ｓ（平均）
ローマ数字（Ｉ）によって示された経路に沿った超音波ビームパルスの伝播時間は、以下の式を採用することによって計算されても良い。
【数１】
0005514914.tif 000002
【００３６】
ここで（τ１）は送信機１０２による超音波ビームパルス放出から受信機１０４によるパルスの受信までの時間、Ｌは送信機１０２と受信機１０４の間の距離、（ＶＤ）は経路（Ｉ）に沿ったビームの速度である。
【００３７】
治療された組織の温度の変化は、ここに上で取り上げられたような加熱されていない様々な身体組織中の既知の音ビーム伝播速度と、経験的に受け取られ記録された様々な組織温度における音ビーム伝播速度値との比較によってリアルタイムで決定されても良い。
【００３８】
ローマ数字（ＩＩ）によって示された経路に沿った超音波ビームの伝播時間は、以下の式を採用することによって計算されても良い。
【数２】
0005514914.tif 000003
【００３９】
ここで（τ２）は送信機１０２によるパルスの放出から受信機１０４によるパルスの受信までの時間、（Ｌｓｔ）は柔らかい組織の層を通したビーム伝播の距離（Ｌｓｔ＝Ｌ１１２＋Ｌ１１４＋Ｌ１１６）、（ＬＢ）は骨表面層に沿ったビーム伝播の距離、（Ｌ）は送信機１０２と受信機１０４の間の距離、（ｈ）は骨表面層１１８と皮膚層１１２の間の境界から測定された組織層の厚さ、（Ｖｓｔ）は柔らかい組織を通したビーム伝播の速度、（ＶＢ）は骨１１８中の速度、（α）はブルースターの角度であり、ここで
【数３】
0005514914.tif 000004
【００４０】
である。
【００４１】
経路（ＩＩ）に沿って伝わる音ビームの伝播の時間（τ２）は、皮膚組織１１２の表面と筋肉１１６−骨１１８境界の間の治療されたエリア１０６中の組織層の厚さに依存することが、上の表現から認識されるであろう。骨に沿った音伝播速度（ＶＢ＞３０００ｍ／ｓ）は、柔らかい組織内での音の伝播速度の２倍より大きく、よって組織の厚さ（ｈ）がＬと比較して小さい場合には、経路（ＩＩ）に沿って伝わり速度（Ｖｂ）で距離ＬＢを伝わる音ビームは、経路（Ｉ）に沿って伝わりはるかにより遅い速度（ＶＤ）で距離Ｌを伝わる音ビームより前かまたはそれと同時に、受信機１０４によって受信されても良い。これは、経路（ＩＩ）に沿って伝わる音ビームが、経路（Ｉ）に沿って伝わる音ビームから受信された信号をマスクすることに結果としてなり得る。これは、経路（Ｉ）に沿って伝わる音ビームが経路（ＩＩ）に沿って伝わる音ビームより前に受信されること、または（τ１）＜（τ２）という条件を課す。これは、以下の表現を使うことによって達成されても良い。
【数４】
0005514914.tif 000005
【００４２】
従って、
【数５】
0005514914.tif 000006
【００４３】
であり、送信機１０２と受信機１０４の間の距離（Ｌ）は、厚さ（ｈ）に従って決定されても良い。
【００４４】
ここで図２を参照すると、それは加熱エネルギー配送表面２０８がＲＦマトリクスであり、対向する超音波送信機２０２と超音波受信機２０４によって規定されている、美容皮膚治療デバイスアプリケータ２００の別の例示的実施形態の断面図である。ビューＡは、図２の美容治療デバイスアプリケータ２００の平面図である。
【００４５】
本方法と装置は、ここで上に特に示されて記載されたものに限定はされないことが当業者によって認識されるであろう。寧ろ、発明の範囲は、ここで上に記載された様々な特徴のコンビネーションおよびサブコンビネーションの両方と、従来技術にはなく前述した記載を読んだ当業者に起こるであろうそれらの変更および変形を含む。
【図１Ａ】
0005514914.tif 000007
【図１Ｂ】
0005514914.tif 000008
【図２】
0005514914.tif 000009